(57)【要約】【課題】操作面の傾斜角度を所望の任意角度に調整設定することができる電話機の操作面角度補助台を提供する。【解決手段】電話機筐体（１００）の底面側部材に着脱自在に取り付けられるアダプタ部品（１０１）が基台（１０２）上に配置される。基台には、アダプタ部品上の半円柱体（１０１ｂ）に対向する位置に半円形断面の凹溝（１０２ａ）を備えている。半円柱体にはその半円周に沿うように案内溝（１０１ｃ）が設けられている。凹溝内に半円柱体が嵌合された状態で半円柱体は凹溝内で案内溝の方向に沿って往復回動可能になるように構成されている。半円柱体の表面と凹溝の内壁面とに、それぞれ、設けられたローレット溝部と突起部とにより、電話機の操作面が任意所望の傾斜角度に設定されるように構成されている。【選択図】      図１
2004194090.tif 000002
【特許請求の範囲】
【請求項１】
電話機筐体の底面に取り付けられて、電話機の据え付け面に対する操作面の傾斜角度を使いやすい角度に設定する電話機操作面の傾斜角度可変補助台において、
該角度可変補助台は前記電話機筐体の底面側部材に着脱自在に取り付けられるアダプタ部品と、
該アダプタ部品に取り付けられる基台とを備え、
前記アダプタ部品は、電話機筐体の底面側部材側に、当該底面側部材に設けられている係合部と係合する係合突起を有するとともに、前記基台側に、前記係合の状態で前記電話機筐体の下側端部と並行し該下側端部より僅かに上側に偏位した位置に配置された半円柱体を備え、当該半円柱体には該半円柱体の両端近傍に該半円柱体の半円周に沿うようにそれぞれ位置する少なくとも一本の案内溝が設けられており、
前記基台は、前記アダプタ部品上の前記半円柱体に対向する位置に該半円柱体と嵌合するように設けられた半円形断面の凹溝を備え、該凹溝内に前記半円柱体が嵌合された状態で該半円柱体は該凹溝内で前記少なくとも一本の案内溝の方向に沿って往復回動可能になるように構成され、さらに、前記半円柱体は、その表面側に、該少なくとも一本の案内溝に嵌合する少なくとも一本の爪部を備え、
前記アダプタ部品上の前記半円柱体の表面と前記基台上の前記半円形断面の凹溝の内壁面との一方に、該半円柱体の軸方向に沿うローレット溝部が設けられるとともに、前記アダプタ部品上の前記半円柱体の表面と前記基台上の前記半円形断面の凹溝の内壁面との他方に、該ローレット溝部と嵌合する突起部を備え、
前記アダプタ部品に取り付けられた前記電話機は、前記ローレット溝部と前記突起部との間の嵌合状態下で、前記アダプタ部品の前記半円柱体と前記基台の凹溝との間の前記少なくとも一本の案内溝に沿う方向の往復回動により、前記操作面が任意所望の傾斜角度に設定されるように構成されたことを特徴とする電話機操作面の傾斜角度可変補助台。
【発明の詳細な説明】
【０００１】
【発明の属する技術分野】
本発明は、電話機筐体の底部に取り付けて、操作面の傾斜角度を使いやすい角度に設定する補助台構造に関するものである。
【０００２】
【従来の技術】
従来開発されてきた電話機の操作面角度を調整する補助台（ペディストル）は、図３（ａ）に示すように操作面に予め傾斜角を与える底面部１００ａを備えた電話機筐体１００に対して、図３（ｂ）に示すように傾斜角度をもった箱形状の構造物である角度固定補助台１１０を、電話機筐体１００の底面部１００ａに取り付けるために、底面部１００ａに設けられている係合部１０１ａ−１に角度固定補助台１１０に形成にされたモールドの係合突起１０１ａを押し込み、モールドのテンションを利用して固定するものである。しかし、操作面角度が固定となり、個人差，環境による操作面の傾斜角度の自由度を得ることが困難である。
【０００３】
このように操作面角度が固定となる不便さを解決するために、操作面角度を可変とした電話機の補助台構造が提案されている。（例えば、特許文献１参照）
【０００４】
【特許文献１】
特開平２００１−１０３１３９号公報
【０００５】
【発明が解決しようとする課題】
しかしながら、特許文献１に記載された構造では、電話機筐体の裏面側に、三角形状の傾斜角度調節具を取り付けるように構成されており、予め設定した二種類の傾斜角度のいずれかを選択する角度調整のみを可能とするものである。
【０００６】
本発明は、従来技術のこのような欠点を解決し、操作面の傾斜角度を所望の任意角度に調整設定することができる電話機の操作面角度補助台を提供するものである。
【０００７】
【課題を解決するための手段】
この目的を達成するために、本発明による電話機の操作面角度可変補助台は、電話機筐体の底面に取り付けられて、電話機の据え付け面に対する操作面の傾斜角度を使いやすい角度に設定する電話機操作面の傾斜角度可変補助台において、該角度可変補助台は、前記電話機筐体の底面側部材に着脱自在に取り付けられるアダプタ部品と、
該アダプタ部品に取り付けられる基台とを備え、
前記アダプタ部品は、電話機筐体の底面側部材側に、当該底面側部材に設けられている係合部と係合する係合突起を有するとともに、前記基台側に、前記係合の状態で前記電話機筐体の下側端部と並行し該下側端部より僅かに上側に偏位した位置に配置された半円柱体を備え、当該半円柱体には該半円柱体の両端近傍に該半円柱体の半円周に沿うようにそれぞれ位置する少なくとも一本の案内溝が設けられており、
前記基台は、前記アダプタ部品上の前記半円柱体に対向する位置に該半円柱体と嵌合するように設けられた半円形断面の凹溝を備え、該凹溝内に前記半円柱体が嵌合された状態で該半円柱体は該凹溝内で前記少なくとも一本の案内溝の方向に沿って往復回動可能になるように構成され、さらに、前記半円柱体は、その表面側に、少なくとも一本の案内溝に嵌合する少なくとも一本の爪部を備え、
前記アダプタ部品上の前記半円柱体の表面と前記基台上の前記半円形断面の凹溝の内壁面との一方に、該半円柱体の軸方向に沿うローレット溝部が設けられるとともに、前記アダプタ部品上の前記半円柱体の表面と前記基台上の前記半円形断面の凹溝の内壁面との他方に、該ローレット溝部と嵌合する突起部を備え、
前記アダプタ部品に取り付けられた前記電話機は、前記ローレット溝部と前記突起部との間の嵌合状態下で、前記アダプタ部品の前記半円柱体と前記基台の凹溝との間の前記少なくとも一本の案内溝に沿う方向の往復回動により、前記操作面が任意所望の傾斜角度に設定されるように構成されたことを特徴とする構成を有している。
【０００８】
【作用】
角度可変を前提に開発されていない電話機に対しても、これに適合するアダプタと基台を取り付けることで、ユーザー側で電話機の液晶ディスプレイ画面の視認性条件により任意の自由な操作面角度に調整設定することができる。
【０００９】
【発明の実施の形態】
図１は、本発明による電話機操作面の傾斜角度可変補助台の一実施例を示す側面図であり、１００は角度可変を前提としていない電話機筐体、１００ａはその電話機の底面部、１０１は電話機筐体１００の底面部１００ａに着脱自在に取り付けられるアダプタ部品、１０２はアダプタ部品１０１に取り付けられる基台である。
【００１０】
図２は、本発明による電話機操作面の傾斜角度可変補助台の具体的各部構造例を示す底面側斜視図であり、（ａ）は電話機筐体１００の底面部１００ａの底面であり、底面の四隅には係合部１００ａ−１となる受け部溝構造が示されている。
【００１１】
（ｂ）は、電話機筐体１００の底面部１００ａに着脱自在に取り付けられるアダプタ部品１０１の底面側斜視図であり、電話機筐体１００の底面部１００ａ側に、当該底面部１００ａに設けられている係合部１００ａ−１と係合する係合突起１０１ａを有するとともに、基台１０２側に、前記係合の状態で前記電話機筐体１００の下側端部１００ｂと並行し該下側端部１００ｂより僅かに上側に偏位した位置に配置された半円柱体１０１ｂを備え、当該半円柱体１０１ｂには該半円柱体の両端近傍に該半円柱体の半円周に沿うように二本の案内溝１０１ｃが設けられている。さらに、半円柱体１０１ｂの外表面の中央部には、半円柱体１０１ｂの軸方向に沿う方向にローレット溝部１０１ｄが設けられている。
【００１２】
（ｃ）は、アダプタ部品１０１に取り付けられる基台１０２の底面側斜視図であり、アダプタ部品１０１上の半円柱体１０１ｂに対向する位置に該半円柱体１０１ｂと嵌合するように設けられた半円形断面の凹溝１０２ａを備え、さらに、その凹溝１０２ａの内壁面には、アダプタ部品１０１側のローレット溝部１０１ｄに嵌合する突起部１０２ｃ（図１では、凹溝１０２ａの裏面上で突起部１０２ｃの対応位置を示している）を備え、該凹溝１０２ａ内に半円柱体１０１ｂが嵌合されたときに、ローレット溝部１０１ｄと突起部１０２ｃが嵌合の状態となって、該半円柱体１０１ｂは該凹溝１０２ａ内で二本の案内溝１０１ｃの方向に沿って往復回動可能になるように構成され、さらに、前記半円柱体１０１ｂは、その表面側に、該二本の案内溝１０１ｃに嵌合する二本の爪部１０２ｂを備えている。
【００１３】
このような構成により、アダプタ部品１０１に取り付けられた電話機筐体１００は、前記のように、ローレット溝部１０１ｄと突起部１０２ｃが嵌合の状態となって、アダプタ部品１０１の半円柱体１０１ｂと基台１０２の凹溝１０２ａとの間の二本の案内溝１０１ｃに沿う方向の往復回動により、図１に示すように、基台１０２の底面に相当する電話機筐体１００の取り付け面１０３と電話機筐体１００の操作面１００ｃが任意所望の傾斜角度１０４（θ）になるように設定することができる。
【００１４】
なお、前記のローレット溝部１０１ｄと突起部１０２ｃは、図２に示したように前者をアダプタ部品１０１に、後者を基台１０２に配置する構成に限定されるものではなく、前者を基台１０２側に、後者をアダプタ部品１０１側に取付けても同様の効果が得られる。
【００１５】
また、案内溝１０１ｃと爪部１０２ｂは、いずれも二本である場合について説明したが、いずれも一本でも、また、いずれも二本以外の三本以上の複数本を備えるようにすることもできる。
【００１６】
【発明の効果】
以上詳細に説明したように、本発明によれば、  角度可変を前提に開発されていない電話機に対しても、これに適合するアダプタと基台を取り付けることで、ユーザー側で電話機の液晶ディスプレイ画面の視認性条件により任意の自由な操作面角度に調整設定することができるので、業務用及び家庭用の固定電話機の操作面の傾斜角度の調整に適用して実用的効果は極めて大である。
【図面の簡単な説明】
【図１】本発明による電話機操作面の傾斜角度可変補助台の一実施例を示す側面図である。
【図２】本発明による電話機操作面の傾斜角度可変補助台の具体的各部構造例を示す底面側斜視図である。
【図３】従来の電話機筐体（ａ）とその操作面角度を調整する従来の補助台（ペディストル）（ｂ）の構造例を示す側面図である。
【符号の説明】
１００  電話機筐体
１００ａ  底面部
１００ａ−１  係合部
１００ｂ  電話機筐体１００の下側端部
１００ｃ  操作面
１０１  アダプタ部品
１０１ａ  係合突起
１０１ａ−１  係合部
１０１ｂ  半円柱体
１０１ｃ  案内溝
１０１ｄ  ローレット溝部
１０２  基台
１０２ａ  凹溝
１０２ｂ  爪部
１０２ｃ  突起部
１０３  取り付け面
１０４  傾斜角
１１０  角度固定補助台
【図１】
2004194090.tif 000003
【図２】
2004194090.tif 000004
【図３】
2004194090.tif 000005